(57)【要約】【課題】  多様なマルチレイヤ光ディスクの形式を判別するためのマルチレイヤ光ディスクの形式判別方法及び装置を提供すること。【解決手段】  ＤＶＤプレーヤー等の光ディスク装置において、装置内に装着されるＤＶＤデュアルレイヤまたはハイブリッドスーパーオーディオＣＤ等のマルチレイヤ光ディスクの形式を、正フォーカス信号の検出時間間隔に基づいて正確に判別することによって、マルチレイヤ光ディスクの形式に適合するサーボ動作及び信号処理動作を正常に遂行することができる。【選択図】  図３
2004199864.tif 000002
【特許請求の範囲】
【請求項１】
フォーカスレンズを、装着されたマルチレイヤ光ディスクに漸進的に近接させながらフォーカス誤差信号の変化を監視する段階と、
前記フォーカス誤差信号の第１及び第２時点の時間間隔に基づいて、装着された前記光ディスクの形式を判別する段階と、を含んで構成されることを特徴とするマルチレイヤ光ディスクの形式判別方法。
【請求項２】
前記フォーカス誤差信号の第１及び第２時点は、前記フォーカシング誤差信号のゼロクロッシング点であることを特徴とする請求項１記載の方法。
【請求項３】
前記フォーカス誤差信号の第１時点は、前記マルチレイヤ光ディスクの第１記録層に関連した正フォーカス信号の検出時であり、前記フォーカス誤差信号の第２時点は、前記マルチレイヤ光ディスクの第２記録層に関連した正フォーカス信号の検出時であることを特徴とする請求項１記載の方法。
【請求項４】
前記判別する段階は、ＤＶＤデュアルレイヤまたはハイブリッドスーパーオーディオＣＤであるかを判別するステップを含んでいることを特徴とする請求項１記載の方法。
【請求項５】
前記判別する段階は、前記時間間隔を既に設定された基準時間と比較するステップを含んでいることを特徴とする請求項１記載の方法。
【発明の詳細な説明】
【技術分野】
【０００１】
本発明は、マルチレイヤー光ディスクの形式判別方法及び装置に関し、さらに詳細にはＤＶＤデュアルレイヤー（ＤＶＤ Dual Layer）またはハイブリッドスーパーオーディオＣＤ（Hybrid Super Audio ＣＤ）等のマルチレイヤー光ディスクの形式を判別するための方法及び装置に関する。
【背景技術】
【０００２】
一般的に、高画質のビデオデータと高音質のオーディオデータを長時間記録貯蔵することができる高密度光ディスク、例えばＤＶＤが開発され市場に発表されて広く商用化されている。また２個の記録層を有するＤＶＤデュアルレイヤーが開発されており、これらのＤＶＤデュアルレイヤーは、市場に発表されて商用化されることが期待されている、
【０００３】
一方、ＤＶＤプレイヤー等の光ディスク装置では、装置内に光ディスクが装着される場合、その光ディスクの形式が、一般ＤＶＤ、すなわち１個の記録層を有するＤＶＤシングルレイヤー（ＤＶＤ Single Layer）なのか、または２個の記録層を有するＤＶＤデュアルレイヤー（ＤＶＤ Dual Layer）なのかを判別する。
【０００４】
そして、判別結果によって、光ディスク装置におけるサーボ動作及び信号処理動作を、ＤＶＤシングルレイヤーまたはＤＶＤデュアルレイヤーに適しているように各々遂行して、第１記録層（レイヤー０）及び／または第２記録層（レイヤー１）に記録貯蔵されたデータを正常に読み出して再生することができるようになる。
【０００５】
しかし、最近では、新しいマルチレイヤー光ディスク、例えば、２個の記録層が備わったハイブリッドスーパーオーディオＣＤ等の多様な形式のマルチレイヤー光ディスクが開発され市場に発表されているが、ＤＶＤプレイヤー等の光ディスク装置では、ＤＶＤデュアルレイヤーとハイブリッドスーパーオーディオＣＤを自動で判別できなければならない。しかし、まだこれに対する適切な解決方法が用意されていない。
【発明の開示】
【発明が解決しようとする課題】
【０００６】
本発明は上記のような事情に鑑みて創作されたものであって、ＤＶＤデュアルレイヤーまたはハイブリッドスーパーオーディオＣＤ等の多様なマルチレイヤー光ディスクの形式をさらに效果的に判別できるようにするためのマルチレイヤー光ディスクの形式判別方法及びその装置を提供することを目的としている。
【課題を解決するための手段】
【０００７】
上記目的を達成するために、本発明に係るマルチレイヤー光ディスクの形式判別方法は、装着されたマルチレイヤー光ディスクにフォーカスレンズを漸進的に近接させながらフォーカス誤差信号の変化を監視する段階と、前記フォーカス誤差信号の第１及び第２時点の時間間隔に基づいて、装着された前記光ディスクの形式を判別する段階と、を含んで構成されることを特徴としている。
【０００８】
また、前記フォーカス誤差信号の第１時点は、前記マルチレイヤー光ディスクの第１記録層に関連した正フォーカス信号(第１フォーカスOK信号）の検出時であり、前記フォーカス誤差信号の第２時点は、前記マルチレイヤー光ディスクの第２記録層に関連した正フォーカス信号(第２フォーカスOK信号）の検出時である。さらに、前記判別する段階は、ＤＶＤデュアルレイヤーまたはハイブリッドスーパーオーディオＣＤであるかを判別するステップを含んでいる。前記判別する段階は、前記時間間隔を既に設定された基準時間と比較するステップを含んでいることを特徴とする。
【０００９】
また、本発明に係る他の形式判別方法では、装着されたマルチレイヤー光ディスクとフォーカスレンズと間の距離を変化させながらフォーカス誤差信号の変化を監視する段階と、前記フォーカス誤差信号の監視により検出される複数の正フォーカス信号の検出時間間隔に基づいて、光ディスクの形式を判別する段階とを含んで構成されることを特徴としている。
【００１０】
また、本発明によるマルチレイヤー光ディスクの形式判別装置は、装着されたマルチレイヤー光ディスクにフォーカスレンズを漸進的に近接させながらフォーカス誤差信号の変化を監視して、フォーカス誤差信号の第１及び第２時点の時間間隔に基づいて光ディスクの形式を判別する構成要素の組合せを含むことを特徴としている。
【００１１】
さらに、本発明に係る装置は、フォーカスレンズと装着されたマルチレイヤー光ディスク間の距離を変化させながらフォーカス誤差信号の変化を監視して、フォーカス誤差信号の監視により検出される複数の正フォーカス信号の検出時間間隔に基づいて、光ディスクの形式を判別する構成要素の組合せを含むことを特徴としている。
【発明の効果】
【００１２】
このように構成される本発明によるマルチレイヤー光ディスクの形式判別方法は、ＤＶＤプレイヤー等の光ディスク装置において、装置内に装着されたＤＶＤデュアルレイヤーまたはハイブリッドスーパーオーディオＣＤ等の多様なマルチレイヤー光ディスクの形式を、正フォーカス信号の検出時間間隔に基づいて正確に判別できるようにすることによって、マルチレイヤー光ディスクの形式に適合するサーボ動作及び信号処理動作を正常に遂行することができる。
【発明を実施するための最良の形態】
【００１３】
以下、本発明の望ましい形態におけるマルチレイヤー光ディスクの形式判別方法について、添付された図面を参照して詳細に説明する。
【００１４】
図１は、本発明によるマルチレイヤー光ディスクの形式判別方法が適用される光ディスク装置に対する構成を示したものであって、図１の装置は、例えば、ＤＶＤプレイヤーである。図１の光ディスク装置は、信号を読む光ピックアップ１１、読まれた信号を二進信号（Binary signal）に変換するＲＦ部１２、この二進信号をデジタルデータに復元するデジタル信号処理部１３、デジタルデータをデコーディングして元のビデオ及び／またはオーディオ信号として出力するデコーダー１４を含み、さらに、光ピックアップ１１により読まれた信号をデジタル信号に変換するＡ／Ｄ変換器１５、光ピックアップ１１を調節する光ピックアップドライバー１６とサーボコントローラ１７、各構成要素を制御するマイコン１８、メモリー１９、及びタイマー２０を含んでいる。この光ディスク装置のすべての構成要素は、相互連結して動作する。
【００１５】
一方、光ピックアップ１１に含まれるフォーカスレンズ（ＦＬ）１１ａは、光ピックアップドライバー１６により印加される駆動電圧により上下移動して、装置内に装着された光ディスク１０の記録層に対するフォーカシング動作を遂行するようになる。
【００１６】
そして、ＲＦ部１２は、光ピックアップに含まれるフォトディテクターＰＤにより、光電変換されて出力される高周波電気信号を処理して、二進信号を発生する。デジタル信号処理部１３とデコーダー１４は、この二進信号を元のビデオ及び／またはオーディオ信号に復元出力する一連の動作を遂行する。
【００１７】
また、装置内に光ディスク１０が装着される場合、マイコン１８は、サーボコントローラ１７を制御して、光ピックアップ１１に含まれるフォーカスレンズ１１ａを、予め設定された初期高さに移動させた後、漸進的に上昇移動させる。すなわち、光ディスク１０に垂直的に近接させながら、光ピックアップ１１から出力されるフォーカス誤差信号（Focus Error signal）の大きさの変化を監視すると共に、これから入射ビームが記録層にフォーカシングされることによって出力される正フォーカス信号（Focus OK signal)を検出して、光ディスクの形式を判別する。光ディスク形式を判別する原理は、次の通りである。
【００１８】
図２に示したように、ＤＶＤデュアルレイヤー１００は、１．２ｍｍのディスク厚さを有し、ディスク厚さの中央を基準にして、第１記録層（レイヤー０）と第２記録層（レイヤー１）が、約５０μｍの間隔を有して対向配置される。
【００１９】
一方、ハイブリッドスーパーオーディオＣＤ５０は、１．２ｍｍのディスク厚さを有し、ディスク厚さの中央に第１記録層が形成されて、第２記録層が、約０．６ｍｍ間隔を有して形成される。これは、ＤＶＤデュアルレイヤー１００よりも相当に大きい離間距離である。
【００２０】
したがって、マイコン１８は、前述したように、フォーカスレンズが上昇移動しながら次々と検出し、第１正フォーカス信号と第２正フォーカス信号の間の検出時間間隔が所定基準値より短い場合（Ｔ１）、装着された光ディスクをＤＶＤデュアルレイヤー１００と判別する。一方、その検出時間間隔が所定基準値より長い場合（Ｔ２）には、装着された光ディスクをハイブリッドスーパーオーディオＣＤ５０であると判別するようになる。これをさらに詳細に説明する。
【００２１】
図３は、本発明に係るマルチレイヤー光ディスクの形式判別方法を説明するための動作フローチャートを示したものである。この方法は、図１の装置または適当な他の装置により実行可能である。図１に示したように、任意の１つの光ディスクが光ディスクプレイヤーに装着される場合、マイコン１８は、サーボコントローラ１７を制御して、光ピックアップ１１に含まれるフォーカスレンズ１１ａを予め設定された初期高さに配置させた後、漸進的に上昇移動させる（Ｓ１０）。
【００２２】
そして、この上昇移動中、マイコン１８は、光ピックアップ１１から出力されてＡ／Ｄ変換器１５によりサンプリングされたデジタルフォーカス誤差信号を継続的に監視する。マイコン１８がこのフォーカス誤差信号のゼロ交差点（Zero  Crossing  Point）を検出すれば、すなわち第１記録層（レイヤーO)に入射ビームがフォーカシングされることによって第１正フォーカス信号（F-OK1）が検出される場合、その時点でタイマー２０を制御して時間をカウントする（Ｓ１１）。
【００２３】
以後、フォーカス誤差信号を継続的に監視する途中、フォーカス誤差信号にまた他の零点交差点が発生すれば、すなわち第２記録層（レイヤー1)に入射ビームがフォーカシングされて第２正フォーカス信号（F-OK2）が検出されれば（Ｓ１２）、その時のタイマー２０によりカウントされた時間を読んで、第１、第２正フォーカス信号間の検出時間間隔Ｔとして確認するようになる（Ｓ１２）。
【００２４】
そして、マイコン１８が、この確認された検出時間間隔Ｔを、予め設定された基準時間間隔Ｔｒ（この基準時間間隔Ｔｒは、メモリー１９または他の所にあらかじめ貯蔵される。）と比較する。基準時間間隔Ｔｒは、ＤＶＤデュアルレイヤーに関連して、第１、第２正フォーカス信号が検出されるときの時点間の時間間隔に設定することができ、比較結果、検出時間間隔Ｔが基準時間間隔Ｔｒを超過する場合（Ｓ１３）、装置内に装着された光ディスクの形式を、ハイブリッドスーパーオーディオＣＤとして判別する（Ｓ１５）。
【００２５】
一方、この比較結果において、検出時間間隔Ｔが基準時間間隔Ｔｒを超過しない場合、装置内に装着された光ディスクの形式を、ＤＶＤデュアルレイヤーとして判別する（Ｓ１６）。
【００２６】
そして、マイコン１８は、上記のような過程を通じて判別された光ディスクの形式に従って、サーボコントローラ１７、デジタル信号処理部１３、そしてデコーダー１４を制御して、光ディスク装置におけるサーボ動作及び信号処理動作が正常に遂行されるようにする（Ｓ１７）。
【００２７】
参考として、上記のような過程を通じて、第１正フォーカス信号だけが検出される場合、マイコン１８は、装置内に装着された光ディスクの形式が、第１記録層だけを有するＤＶＤシングルレイヤー等の光ディスクであると判別する。
【００２８】
以上、前述した本発明の望ましい実施例は、例示の目的のために開示されたものであって、ＤＶＤデュアルレイヤーとハイブリッドスーパーオーディオＣＤ以外の他の形式のマルチレイヤー光ディスクに対しても、拡大適用が可能であり、当業者ならば添付された特許請求の範囲に開示された本発明の技術的思想とその技術的範囲内で、また他の多様な実施例を改良、変更、代替または付加などが可能である。
【図面の簡単な説明】
【００２９】
【図１】図１は、本発明に係るマルチレイヤー光ディスクの形式判別方法が適用される光ディスク装置に対する構成を示す図である。
【図２】図２は、本発明が適用されるマルチレイヤー光ディスクの形式とそれによって検出される正フォーカス信号を示した図である。
【図３】図３は、本発明に係るマルチレイヤー光ディスクの形式判別方法の実施例による動作フローチャート図である。
【符号の説明】
【００３０】
１０、５０：光ディスク
１１：光ピックアップ
１１ａ：フォーカスレンズ
１２：ＲＦ部
１３：デジタル信号処理部
１４：デコーダー
１５：Ａ／Ｄ変換器
１６：光ピックアップドライバー
１７：サーボコントローラ
１８：マイコン
１９：メモリー
２０：タイマー
【図１】
2004199864.tif 000003
【図２】
2004199864.tif 000004
【図３】
2004199864.tif 000005